(57)【要約】【課題】  画像形成装置において、フルカラー画像の入力画像データを、容易に任意の色相に単色相化して出力する。【解決手段】  入力色値を予めＲＧＢデータ群とＣＭＹＫデータ群とが対応づけられたフルカラー色変換テーブル１０２１にもとづき所定の出力色値に変換する画像形成装置１０であって、任意の入力色値を、所望色相の入力色値に変換する入力値単色相化手段５０１を備える構成としてある。【選択図】      図１
2010233038.tif 000002
【特許請求の範囲】
【請求項１】
入力色値を予め入力色値群と出力色値群とが対応づけられた所定の色変換テーブルにもとづき所定の出力色値に変換する画像形成装置であって、
任意の入力色値を、所望色相の入力色値に変換する入力値単色相化手段を、備えることを特徴とする画像形成装置。
【請求項２】
前記入力値単色相化手段により得られる入力色値群と、前記色変換テーブルにもとづき得られる当該入力色値群に対応する出力色値群と、の対応づけによって所定の単色相化色変換テーブルを生成する単色相化テーブル生成手段を備える請求項１記載の画像形成装置。
【請求項３】
前記入力色値はＲＧＢデータであるとともに当該入力色値に対応する前記出力色値はＣＭＹＫデータからなり、
前記入力値単色相化手段は、
３次元色空間上の任意の点ＡのＲＧＢデータ（Ａ｛ｒ，ｇ，ｂ｝）を、その点Ａの色相における最大彩度点Ｐと白点Ｗと黒点Ｋとを各頂点とする三角形ＷＰＫと、前記点Ａと前記各頂点のうちの２点とによって形成される３つの三角形（ＫＡＷ、ＰＡＫ、ＷＡＰ）との面積比率（Ｓｐ、Ｓｗ、Ｓｋ）にもとづく次式によって、点ＡのＲＧＢデータを所望色相のＲＧＢデータ（Ａ’｛ｒ’，ｇ’，ｂ’｝）に変換する請求項１又は２に記載の画像形成装置。
Ａ’｛ｒ’，ｇ’，ｂ’｝＝Ｓｐ・Ｐ’｛Ｐ'ｒ，Ｐ'ｇ，Ｐ'ｂ｝＋Ｓｗ・Ｗ｛１，１，１｝＋Ｓｋ・Ｋ｛０，０，０｝
（但し、Ｓｐ＝△ＫＡＷ／△ＷＰＫ、Ｓｗ＝△ＰＡＫ／△ＷＰＫ、Ｓｋ＝△ＷＡＰ／△ＷＰＫとし、Ｐ’｛Ｐ'ｒ，Ｐ'ｇ，Ｐ'ｂ｝は、前記所望色相における最大彩度点Ｐ’のＲＧＢデータとする。）
【請求項４】
上記最大彩度点Ｐは、前記３次元色空間において、前記点Ａ及び線分ＷＫを含む平面がＣｙａｎ−Ｂｌｕｅ、Ｂｌｕｅ−Ｍａｇｅｎｔａ、Ｍａｇｅｎｔａ−Ｒｅｄ、Ｒｅｄ−Ｙｅｌｌｏｗ、Ｙｅｌｌｏｗ−Ｇｒｅｅｎ、Ｇｒｅｅｎ−Ｃｙａｎのいずれかの直近の線分に交差する当該交差点である請求項３記載の画像形成装置。
【請求項５】
入力操作に応じて、所望の色相を選択する所望色選択手段を備え、
前記最大彩度点Ｐ’は、前記３次元色空間上において、前記選択された色相に相当する点及び線分ＷＫを含む平面が当該３次元色空間におけるＣｙａｎ−Ｂｌｕｅ、Ｂｌｕｅ−Ｍａｇｅｎｔａ、Ｍａｇｅｎｔａ−Ｒｅｄ、Ｒｅｄ−Ｙｅｌｌｏｗ、Ｙｅｌｌｏｗ−Ｇｒｅｅｎ、Ｇｒｅｅｎ−Ｃｙａｎのいずれかの直近の線分に交差する当該交差点である請求項３又は４記載の画像形成装置。
【請求項６】
入力色値を予め入力色値群と出力色値群とが対応づけられた所定の色変換テーブルにもとづき所定の出力色値に変換する画像形成装置において、
任意の入力色値を所望色相の入力色値に変換する入力値単色相化処理を行う画像処理方法。
【請求項７】
前記入力値単色相化処理により得られる入力色値群と、前記色変換テーブルにもとづき得られる当該入力色値群に対応する出力色値群と、の対応づけによって所定の単色相化色変換テーブルを生成する単色相化テーブル生成処理を行う請求項６記載の画像処理方法。
【請求項８】
入力色値を予め入力色値群と出力色値群とが対応づけられた所定の色変換テーブルにもとづき所定の出力色値に変換する画像形成装置を構成するコンピュータを、
任意の入力色値を所望色相の入力色値に変換する入力値単色相化手段、
として機能させるための画像処理プログラム。
【請求項９】
前記入力値単色相化手段により得られる入力色値群と、前記色変換テーブルにもとづき得られる当該入力色値群に対応する出力色値群と、の対応づけによって所定の単色相化色変換テーブルを生成する単色相化テーブル生成手段、として機能させるための請求項８記載の画像処理プログラム。
【発明の詳細な説明】
【技術分野】
【０００１】
本発明は、対象となるカラー画像を所望の単色相の画像に変換して出力する画像形成装置、画像処理方法及び画像処理プログラムに関する。
【背景技術】
【０００２】
従来、カラープリンタ等の画像形成装置では、入力されるＲＧＢ形式のカラー画像データを所定の色変換テーブル（LUT：Look Up Table）を用いることによって、ＣＭＹＫデータに変換して印刷出力するようにしている。
具体的には、図１４のブロック図に示すように、画像情報入力部１０１’によって入力されたＲＧＢ形式の画像データは、色変換テーブルからなる色変換処理部１０２’を介してＣＭＹＫ形式の画像データに変換され、ガンマ補正部１０３’及びスクリーン処理部１０４’による所定処理を介し、画像情報出力部１０５’によって出力される。
したがって、カラー画像形成装置の分野においては、原色をいかに忠実に再現するか、ということが重要な課題となっている。
しかし、ユーザの利用の仕方によっては、再現性より高速性を望むケースがあり、このため、原色に忠実な出力画像ではなく、白黒出力を求めるケースもある。
【０００３】
このため、所定のフルカラー領域に属するＲＧＢ値を単色の色値に変換するカラー画像処理方法や、色相軸ごとに色調整を行う装置が提案されている（例えば、特許文献１，２参照）。
具体的に、特許文献１に記載のカラー画像処理方法によれば、対象となる画像データ（ＲＧＢデータ）をＸＹＺ値に変換し、さらにこれをｘｙＹ値に変換する。そして、ｘｙＹ値が、黒、青、赤、黄、白系のうちいずれの領域に属するか否かを判定し、その判定結果に応じた単色を出力するようにしている。
また、特許文献２に記載の色調整装置は、色度図における色相軸上を複数に分割し、分割された色相軸の中から選択された色相軸ごとに色相、明度、色彩度を調整することができるようになっている。
【先行技術文献】
【特許文献】
【０００４】
【特許文献１】特開２００２−２９０７５０号公報
【特許文献２】特開２００４−６４１９８号公報
【発明の概要】
【発明が解決しようとする課題】
【０００５】
しかしながら、特許文献１のカラー画像処理方法は、単色からなる被写体の画像出力時の忠実な再現を目的としているため、原画の色の再現には効果的だが、被写体を任意の単色相の色に変換することまでは想定されていない。
また、特許文献２の色調整装置によっては、白黒からなる画像の出力は可能だが、他の単色相（例えば、赤、緑、青）での出力は不可能である。
したがって、これら従来の技術によれば、ユーザが所望の色相を選択して出力する具体的な方法がなく、不便なものとなっていた。
【０００６】
本発明は、以上のような従来の技術が有する問題を解決するために提案されたものであり、対象となる画像を、必要に応じて単色相の画像に変換して出力することを可能とするだけでなく、ユーザの任意でその色相を選択することができ、さらに、簡易なハードウェア・ソフトウェア構成でこれらを実現化し得る画像形成装置、画像処理方法及び画像処理プログラムの提供を目的とする。
【課題を解決するための手段】
【０００７】
上記目的を達成するため、本発明の画像形成装置は、入力色値を予め入力色値群と出力色値群とが対応づけられた所定の色変換テーブルにもとづき所定の出力色値に変換する画像形成装置であって、任意の入力色値を、所望色相の入力色値に変換する入力値単色相化手段を備えた構成としてある。
【０００８】
また、本発明の画像処理方法は、入力色値を予め入力色値群と出力色値群とが対応づけられた所定の色変換テーブルにもとづき所定の出力色値に変換する画像形成装置において、任意の入力色値を所望色相の入力色値に変換する入力値単色相化処理を行う方法としてある。
【０００９】
また、本発明の画像処理プログラムは、入力色値を予め入力色値群と出力色値群とが対応づけられた所定の色変換テーブルにもとづき所定の出力色値に変換する画像形成装置を構成するコンピュータを、任意の入力色値を所望色相の入力色値に変換する入力値単色相化手段、として機能させるためのプログラムとしてある。
【発明の効果】
【００１０】
本発明の画像形成装置、画像処理方法及び画像処理プログラムによれば、対象となるフルカラー画像を所望の色相に単色相化して出力することを容易に実現することができる。
【図面の簡単な説明】
【００１１】
【図１】本発明の一実施形態に係る画像形成装置の構成を示すブロック図である。
【図２】ＲＧＢ−ＣＭＹＫの三次元色空間上における任意の点Ａを示した模式図である。
【図３】図２に示す３次元色空間を線分ＫＷ（直線Ｌ）が鉛直になるように表した模式図である。
【図４】図３に示す３次元色空間において点Ｗ、点Ｋ及び最大彩度点Ｐからなる色相面（三角形）を表した模式図である。
【図５】図４に含まれる三角形ＷＰＫのみを表した平面図である。
【図６】図５に示す三角形ＷＰＫを構成する小三角形ＫＡＷ、ＰＡＫ及びＷＡＰを表した平面図である。
【図７】本発明の第一実施形態において行われる色相選択に係る構成を示すブロック図である。
【図８】本発明の第一実施形態において用いられる所望色相選択画像の例を示した模式図である。
【図９】本発明の第一実施形態において行われる単色相化に係る画像処理方法を説明するためのフローチャートである。
【図１０】本発明の第二実施形態に係る画像形成装置の構成を示すブロック図である。
【図１１】本発明の第二実施形態に係る単色相化色変換テーブルの生成方法を説明するためのフローチャートである。
【図１２】本発明の第三実施形態に係る画像形成装置の構成を示すブロック図である。
【図１３】本発明の第四実施形態に係る画像形成装置の構成を示すブロック図である。
【図１４】従来の画像形成装置の構成を示すブロック図である。
【発明を実施するための形態】
【００１２】
以下、本発明の好ましい実施形態について図１〜図１３を参照して説明する。
ここで、以下に示す本実施形態の画像形成装置は、プログラム（ソフトウェア）の命令によりコンピュータで実行される処理，手段，機能によって実現される。プログラムは、コンピュータの各構成要素に指令を送り、以下に示すような所定の処理・機能を行わせる。すなわち、本実施形態の画像形成装置における各処理・手段は、プログラムとコンピュータとが協働した具体的手段によって実現される。
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。
【００１３】
［第一実施形態］
図１は、本発明の第一実施形態に係る画像形成装置の構成を示すブロック図である。
図１に示すとおり、本実施形態の画像形成装置１０ａは、画像情報入力部１０１、単色相化処理部５００ａ、色変換処理部１０２ａ、ガンマ補正部１０３、スクリーン処理部１０４及び画像情報出力部１０５によって構成される。
以下に本実施形態の画像形成装置を構成する各部の詳細説明を行う。
【００１４】
画像情報入力部１０１は、フルカラー画像等の画像データ（原画像）を入力するものであり、具体的には、ＲＧＢ形式の画像データを、外部のホストコンピュータ等から入力するためのインタフェースを構成している。
単色相化処理部５００ａは、入力値単色相化手段５０１ａを備え、画像情報入力部１０１によって入力された画像データを、所望の色相に単色相化し、色変換処理部１０２ａに出力するものである。
ここで、本実施形態に係る単色相化処理部５００ａによって行われる単色相化処理について図２〜図８を参照しながら詳細に説明する。
図２は、ＲＧＢ−ＣＭＹＫの三次元色空間上における任意の点Ａを示した模式図であり、図３は、図２に示す３次元色空間を線分ＫＷ（直線Ｌ）が鉛直になるように表した模式図であり、図４は、図３における点Ａの色相における最大彩度点Ｐ、点Ｗ、点Ｋからなる色相面（三角形）を示した模式図である。
【００１５】
まず、任意の点Ａ｛ｒ，ｇ，ｂ｝と同色相における最大彩度点Ｐを求める。
図４に示すように、最大彩度点Ｐは、前記３次元色空間において、前記点Ａ及び線分ＷＫを含む平面がＣｙａｎ−Ｂｌｕｅ、Ｂｌｕｅ−Ｍａｇｅｎｔａ、Ｍａｇｅｎｔａ−Ｒｅｄ、Ｒｅｄ−Ｙｅｌｌｏｗ、Ｙｅｌｌｏｗ−Ｇｒｅｅｎ、Ｇｒｅｅｎ−Ｃｙａｎのいずれかの直近の線分に交差する当該交差点と定義することができる。
また、演算処理上、点ＰのＲＧＢ値は、以下の計算式によって求めることができる。
Ｐ＝（Ａ−Min［Ａ］）／Max［（Ａ−Min［Ａ］）］
（但し、Min［Ａ］は、Ａ｛ｒ，ｇ，ｂ｝の内の最小の値、Max［（Ａ−Min［Ａ］）］は、Ａ｛ｒ，ｇ，ｂ｝の各要素からMin［Ａ］を減じた値のうち最大の値を意味する。）
例えば、点ＡがＡ｛0.5，0.5，0｝の場合（但し、ＲＧＢ値のそれぞれの取り得る範囲を０〜１とする。）、Ｐ＝｛0.5，0.5，0｝／0.5＝｛1,1,0｝となる。
【００１６】
次に、このようにして求めた最大彩度点Ｐ、白点Ｗ、黒点Ｋ及び点Ａの４点に関し、線分ＡＷ、ＡＫ、ＡＰと三角形ＷＰＫの各辺によって形成される小三角形を設定する。
具体的には、図４に示すように、3次元色空間上において、点Ａ、点Ｗ、点Ｋからなる色相面にもとづく三角形ＷＰＫを設定した後、図５に示す三角形ＷＰＫのみを抽出し、その後、図６に示すように、三角形ＷＰＫを構成する小三角形ＫＡＷ、ＰＡＫ、ＷＡＰを求める。
【００１７】
そして、設定した三角形の面積値をそれぞれ△ＷＰＫ、△ＫＡＷ、△ＰＡＫ、△ＷＡＰとしたときの面積比率Ｓｐ、Ｓｗ、Ｓｋを次式により求めておく。
Ｓｐ＝△ＫＡＷ／△ＷＰＫ
Ｓｗ＝△ＰＡＫ／△ＷＰＫ
Ｓｋ＝△ＷＡＰ／△ＷＰＫ
一般に、ベクトルＯＡ｛a,b｝、ベクトルＯＢ｛c,d｝を想定した場合の三角形ＯＡＢの面積Ｓは、Ｓ＝(１/２)｜ad−bc｜（但し、｜ad-bc｜は、ベクトル（ad-bc）の絶対値を意味する。）によって算出することができるため、このような算式を利用して各三角形の面積を算出したうえで、上記面積比率を求めることができる。
【００１８】
さらに、所望の色相に単色相化されたＲＧＢデータを求めるために行う、所望の色相に対応する最大彩度点Ｐの算出について詳細に説明する。
図７は、本実施形態において行われる色相選択に係る構成を示すブロック図である。
所望色選択部８０１は、利用者の指定操作に応じて所望の色を選択するものである。
所望色相値算出部８０２は、所望色相に対応する最大彩度点Ｐ’を求めるものである。
具体的には、所望色選択部８０１で指定した色相に対応する最大彩度点Ｐ’のＲＧＢデータを算出する。
ここで、最大彩度点Ｐ’は、前記３次元色空間上において、前記選択された色相に相当する点及び線分ＷＫを含む平面が当該３次元色空間におけるＣｙａｎ−Ｂｌｕｅ、Ｂｌｕｅ−Ｍａｇｅｎｔａ、Ｍａｇｅｎｔａ−Ｒｅｄ、Ｒｅｄ−Ｙｅｌｌｏｗ、Ｙｅｌｌｏｗ−Ｇｒｅｅｎ、Ｇｒｅｅｎ−Ｃｙａｎのいずれかの直近の線分に交差する当該交差点と定義することができる。
【００１９】
例えば、図８に示す全色相が表示された色相環や所定のパッチ画像等の中からユーザがマウス等のポインティングデバイスで任意の色値Ｂ（ｒ，ｇ，ｂ）を指定することによって下記演算処理が行われて点Ｐ’が求められる。
Ｐ’＝（Ｂ−Min［Ｂ］）／Max［（Ｂ−Min［Ｂ］）］
（但し、Min［Ｂ］は、Ｂ｛ｒ，ｇ，ｂ｝の内の最小の値、Max［（Ｂ−Min［Ｂ］）］は、Ｂ｛ｒ，ｇ，ｂ｝の各要素からMin［Ｂ］を減じた値のうち最大の値を意味する。）
例えば、色値ＢがＢ｛0.25，0.75，0.5｝の場合（但し、ＲＧＢ値のそれぞれの取り得る範囲を０〜１とする。）、Ｐ’＝｛0，0.5，0.25｝／0.5＝｛0,1,0.5｝となる。
なお、図８に示す色相環は、モノクロ表示となっているが、実際には、カラーディスプレイ等によりフルカラーで表示される。
また、求めた最大彩度点Ｐ’のＲＧＢデータは、単色相化処理部５００に出力され、単色相化のための演算処理に用いられることとなる。
【００２０】
図１に戻り、単色相化処理部５００は、次式にもとづいて任意の点Ａ｛ｒ，ｇ，ｂ｝を単色相化した点Ａ’｛ｒ’，ｇ’，ｂ’｝に変換する。
Ａ’｛ｒ’，ｇ’，ｂ’｝＝Ｓｐ・Ｐ’｛Ｐ'ｒ，Ｐ'ｇ，Ｐ'ｂ｝＋Ｓｗ・Ｗ｛１，１，１｝＋Ｓｋ・Ｋ｛０，０，０｝
ここで、点Ｐ’｛Ｐ'ｒ，Ｐ'ｇ，Ｐ'ｂ｝は、所望色相値算出手段８０２によって算出された所望色相の最大彩度点Ｐ’のＲＧＢデータであり、Ｓｐ、Ｓｗ、Ｓｋは△ＷＰＫにおける点Ａの面積比率である。また、Ｗ｛１，１，１｝は白点のＲＧＢデータ、Ｋ｛０，０，０｝は黒点のＲＧＢデータを示すものである。
【００２１】
色変換処理部１０２ａは、ＲＧＢデータをＣＭＹＫデータに変換するものであり、予めＲＧＢデータ群とＣＭＹＫデータ群とが対応づけられてあるフルカラー色変換テーブル１０２１を参照させることによって出力用の画像データを取得するものである。
具体的には、入力値単色相化手段５０１ａにおける上記の演算処理によって得た単色相化後のＲＧＢデータ（Ａ’｛ｒ’，ｇ’，ｂ’｝）を、フルカラー色変換テーブル１０２１ａを参照させることによって所望の色相に単色相化されたＣＭＹＫデータ｛ｃ’，ｍ’，ｙ’，ｋ’｝を得る。
なお、対象オブジェクト全体を単色相化するには、そのオブジェクトを形成するすべての画素に対応するＣＭＹＫデータを求める必要がある。
【００２２】
ガンマ補正部１０３は、色変換処理部１０２ａを介して取得したＣＭＹＫデータに対して所定の入出力補正を行うものであり、スクリーン処理部１０４は、ＣＭＹＫの各データが干渉を起こさないように階調度の調整を行うものである。
画像情報出力部１０５は、スクリーン処理部１０４からの画像データにもとづき出力処理を行うものである。
これにより、入力した原画像に対し、所望色相に単色相化された出力画像を得ることとなる。
【００２３】
ここで、本実施形態において行われる単色相化に係る画像処理方法について図面を参照しつつ詳細に説明する。
図９は、本実施形態において行われる単色相化に係る画像処理方法を説明するためのフローチャートである。
同図に示すとおり、まず、画像情報入力部１０１が、ＲＧＢ形式の原画像｛ｒ，ｇ，ｂ｝を入力する（Ａ１）。
すなわち、画像情報入力部１０１が、外部のホストコンピュータ等から入力した画像を形成する各ＲＧＢデータ（非変換点群）を入力する。
【００２４】
次に、単色相化処理部５００ａは、入力された原画像の各ＲＧＢデータのうち任意の点Ａ｛ｒ，ｇ，ｂ｝を抽出し、その点Ａの最大彩度点Ｐを算出する（Ａ２）。
続いて、単色相化処理部５００ａは、白点Ｗ、黒点Ｋ、最大彩度点Ｐからなる△ＷＰＫにおける点Ａの面積比率（Ｓｐ：Ｓｗ：Ｓｋ）を算出する（Ａ３）。
ここで、ユーザの指定に応じ、所望色選択部８０１が、単色相化したい所望色相に含まれるＲＧＢデータを選択し（Ａ４）、次いで、所望色相値算出部８０２が、所望色相の最大彩度点Ｐ’を算出する（Ａ５）。
【００２５】
そして、色変換処理部１０２ａは、点Ａを単色相化した点Ａ’を求める（Ａ６）。
具体的には、△ＷＫＰ上の点Ａ｛ｒ，ｇ，ｂ｝を△ＷＫＰ’に写像する次式により点Ａ’｛ｒ’，ｇ’，ｂ’｝を算出する。
Ａ’｛ｒ’，ｇ’，ｂ’｝＝Ｓｐ・Ｐ’｛Ｐ'ｒ，Ｐ'ｇ，Ｐ'ｂ｝＋Ｓｗ・Ｗ｛１，１，１｝＋Ｓｋ・Ｋ｛０，０，０｝
（但し、点Ｐ’｛Ｐ'ｒ，Ｐ'ｇ，Ｐ'ｂ｝は、所望色相値算出手段８０２によって算出された所望色相の最大彩度点Ｐ’のＲＧＢデータ、Ｓｐ、Ｓｗ、Ｓｋは△ＷＰＫにおける点Ａの面積比率、Ｗ｛１，１，１｝は白点のＲＧＢデータ、Ｋ｛０，０，０｝は黒点のＲＧＢデータを示す。）
【００２６】
なお、原画像を構成するすべての点（画素）を抽出してステップＡ２〜Ａ６の処理を行うことにより、原画像を所望の色相に単色相化して出力できるようになる（Ａ７）。
この結果、原画像の非変換点群のＲＧＢデータ｛ｒ，ｇ，ｂ｝を、単色相化されたＲＧＢデータ群に変換することができ、これを既存のフルカラー色変換テーブル１０２１ａを参照させることによって所望の色相に単色相化されたＣＭＹＫデータ｛ｃ’，ｍ’，ｙ’，ｋ’｝に変換することができる。
【００２７】
以上説明したように、本実施形態の画像形成装置によれば、単色相化処理部５００ａが、入力ＲＧＢデータを一旦所望の色相に単色相化されたＲＧＢデータに変換するようにしている。
そして、色変換処理部１０２ａが、単色相化されたＲＧＢデータに対し、一般的なフルカラー色変換テーブル１０２１ａを参照させることによって単色相化されたＣＭＹＫデータ｛ｃ’，ｍ’，ｙ’，ｋ’｝を出力するようにしている。
【００２８】
このため、出力処理を高速化でき利便性を向上することができる。
また、従来の画像形成装置が有するフルカラー色変換テーブル１０２１ａを利用することができるため、ＡＳＩＣ規模の拡大等、特別な改造は不要であり、また、簡単なプログラムの変更によって、本発明を実現することができる。
さらに、単色相化に際し、ユーザの好みの色相を選択することができるため、利便性をさらに向上させることが可能である。
【００２９】
［第二実施形態］
次に、本発明の第二実施形態に係る画像形成装置について図１０及び図１１を参照しつつ説明する。
図１０は、本発明の第二実施形態に係る画像形成装置の構成を示すブロック図である。
同図に示すとおり、本実施形態の画像形成装置は、色変換処理部１０２ｂが、単色相化テーブル生成手段１０２２ｂを備え、これにより生成された単色相化色変換テーブル１０２３ｂを備えるようにしている。
このため、所望の単色相化画像を円滑に出力できるようになっている。
【００３０】
単色相化処理部５００ｂは、第一実施形態と同様、入力値単色相化手段５０１ｂを備えるが、既存のフルカラー色変換テーブル１０２１ｂにおけるＲＧＢデータを抽出して単色相化し、単色相化されたＲＧＢデータ群を用いて単色相化色変換テーブル１０２３ｂを生成する点に特徴を有する。
【００３１】
色変換処理部１０２ｂは、本実施形態に係る単色相化色変換テーブル１０２３ｂを生成するための単色相化テーブル生成手段１０２２ｂを備える。
具体的には、単色相化テーブル生成手段１０２２ｂは、以下の処理を行う。
まず、単色相化テーブル生成手段１０２２ｂは、単色相化処理部５００ｂから得られる単色相化されたＲＧＢデータ｛ｒ’，ｇ’，ｂ’｝に対し、フルカラー色変換テーブル１０２１ｂを参照させることによって単色相化されたＣＭＹＫデータ｛ｃ’，ｍ’，ｙ’，ｋ’｝を取得する。
【００３２】
そのうえで、単色相化テーブル生成手段１０２２ｂは、単色相化される前の元のＲＧＢデータ群（非変換点群）と、取得した単色相化後のＣＭＹＫデータ群とを対応づけることによって単色相化色変換テーブル１０２３ｂを生成する。
そして、このようにして生成された単色相化色変換テーブル１０２３ｂを図示しない記憶部に保持させておき、入力された原画像に対してこの単色相化色変換テーブル１０２３ｂを参照させることによって、所望の色相に単色相化された画像を円滑に出力できる構成としている。
なお、図１０において、図１と同一の構成部分については、同一の符号を付して、その詳細な説明を省略する。
【００３３】
ここで、以上のような構成からなる本実施形態の単色相化色変換テーブルの生成方法について図面を参照しつつ詳細に説明する。
図１１は、本実施形態に係る単色相化色変換テーブルの生成方法を説明するためのフローチャートである。
同図に示すとおり、まず、単色相化処理部５００ｂは、既存の色変換テーブル（フルカラー表示用ＲＧＢ−ＣＭＹＫ用ＬＵＴデータ）を抽出する（Ｂ１）。
具体的には、本実施形態に係る画像形成装置に予め備えられているフルカラー色変換テーブル１０２１ｂの構成データの中からＲＧＢデータ群（非変換点群）を抽出する。
【００３４】
次いで、単色相化処理部５００ｂは、抽出したＲＧＢデータ群の中から任意の点Ａ｛ｒ，ｇ，ｂ｝を抽出し、その点Ａの最大彩度点Ｐを算出する（Ｂ２）。
次に、単色相化処理部５００ｂは、白点Ｗ、黒点Ｋ、最大彩度点Ｐからなる△ＷＰＫにおける点Ａの面積比率（Ｓｐ：Ｓｗ：Ｓｋ）を算出する（Ｂ３）。
ここで、ユーザの指定に応じ、所望色選択部８０１が、単色相化したい所望色相に含まれるＲＧＢデータを選択し（Ｂ４）、次いで、所望色相値算出部８０２が、所望色相の最大彩度点Ｐ’を算出する（Ｂ５）。
【００３５】
そして、色変換処理部１０２ｂは、点Ａを単色相化した点Ａ’を求める（Ｂ６）。
具体的には、△ＷＫＰ上の点Ａ｛ｒ，ｇ，ｂ｝を△ＷＫＰ’に写像する次式により点Ａ’｛ｒ’，ｇ’，ｂ’｝を算出する。
Ａ’｛ｒ’，ｇ’，ｂ’｝＝Ｓｐ・Ｐ’｛Ｐ'ｒ，Ｐ'ｇ，Ｐ'ｂ｝＋Ｓｗ・Ｗ｛１，１，１｝＋Ｓｋ・Ｋ｛０，０，０｝
（但し、点Ｐ’｛Ｐ'ｒ，Ｐ'ｇ，Ｐ'ｂ｝は、所望色相値算出手段８０２によって算出された所望色相の最大彩度点Ｐ’のＲＧＢデータ、Ｓｐ、Ｓｗ、Ｓｋは△ＷＰＫにおける点Ａの面積比率、Ｗ｛１，１，１｝は白点のＲＧＢデータ、Ｋ｛０，０，０｝は黒点のＲＧＢデータを示す。）
【００３６】
次に、色変換処理部１０２ｂは、単色相化されたＲＧＢデータＡ’をＣＭＹＫデータに変換する（Ｂ７）。
具体的には、ステップＢ６によって得たＡ’｛ｒ’，ｇ’，ｂ’｝に対し、フルカラー色変換テーブル１０２１ｂを参照させることによって単色相化されたＣＭＹＫデータ｛ｃ’，ｍ’，ｙ’，ｋ’｝を取得する。
ここで、ステップＢ２〜Ｂ７の処理は、フルカラー色変換テーブル１０２１ａ上のすべてのＲＧＢデータについて行う（Ｂ８）。
これにより、本実施形態に係る単色相化色変換テーブル１０２３ｂの変換点群である単色相化ＣＭＹＫデータ群を取得することができる。
そして、単色相化テーブル生成手段１０２２ｂは、ステップＢ１〜Ｂ８を介して得た単色相化ＣＭＹＫデータ群と元のＲＧＢデータ群とを対応づけることによって単色相化色変換テーブル１０２３ｂを生成する（Ｂ９）。
【００３７】
以上説明したように、本実施形態の画像形成装置１０ｂによれば、単色相化された色変換テーブルを生成し、当該画像形成装置１０ｂに予め保持させるようにしている。
このため、所望の単色相化画像を円滑に出力することが可能である。
したがって、前述の第一実施形態と同様の作用効果を奏することは勿論のこと、迅速な出力処理が可能となり、さらに利便性の高い画像形成装置を実現することができる。
【００３８】
［第三実施形態］
次に、本発明の第三実施形態に係る画像形成装置について図１２を参照しつつ説明する。
図１２は、本発明の第三実施形態に係る画像形成装置の構成を示すブロック図である。
同図に示すとおり、本実施形態の画像形成装置１０ｃは、フルカラー色変換テーブル１０２１ｃを備えた色変換処理部１０２ｃと単色相化色変換テーブル１０２３ｃを備えた色変換処理部１０２ｃ’とを有する点において特徴的な構成となっている。
また、本実施形態の画像形成装置１０ｃは、画像情報入力部１０１ｃと色変換処理部１０２ｃ、１０２ｃ’との間に選択回路２０１を備えており、色変換テーブルを任意に選択できる構成としている。
このため、ユーザは、色変換テーブルの選択が可能となり、利用態様に応じて、フルカラー画像や単色相画像を選択出力することができる。
したがって、本実施形態によれば、さらに高い利便性を提供することができる。
なお、図１２において、図１と同一の構成部分については、同一の符号を付して、その詳細な説明を省略する。
【００３９】
［第四実施形態］
次に、本発明の第四実施形態に係る画像形成装置について図１３を参照しつつ説明する。
図１３は、本発明の第四実施形態に係る画像形成装置の構成を示すブロック図である。
同図に示すとおり、本実施形態の画像形成装置１０ｄは、初期設定の色変換テーブルを備えた色変換処理部１０２ｄと、任意の色変換テーブルをダウンロードして備える色変換処理部１０２ｄ’とを有する点において特徴的な構成となっている。
具体的には、一の色変換処理部１０２ｄにはフルカラー色変換テーブルを初期設定しておき、他方の色変換処理部１０２ｄ’には一以上の単色相化色変換テーブル群２０２の中から任意の単色相化色変換テーブルをダウンロードできる構成とする。
また、画像情報入力部１０１ｄと色変換処理部１０２ｄ、１０２ｄ’との間に選択回路２０１を備えており、色変換テーブルを任意に選択できる構成としている。
このため、ユーザは、第三実施形態に比べより多くの色変換テーブルを選択できるようになっている。
なお、図１３において、図１と同一の構成部分については、同一の符号を付して、その詳細な説明を省略する。
【００４０】
このため、本実施形態によれば、画像出力のバリエーションをより一層増やすことができ、また、係る出力処理を迅速に実行することも可能となる。
したがって、前述の実施形態と同様の作用効果を奏するのみならず、さらに利便性に優れた画像形成装置を実現することが可能となる。
【００４１】
以上、本発明の画像形成装置について、好ましい実施形態を示して説明したが、本発明にかかる画像形成装置は、上述した実施形態にのみ限定されるものではなく、本発明の範囲で種々の変更実施が可能であることは言うまでもない。
例えば、本発明の入力値単色相化手段５０１は、プリンタ装置のみならず、パーソナルコンピュータやスキャナなどの一般的な画像形成装置に適用することができる。
【産業上の利用可能性】
【００４２】
本発明は、色変換テーブルを参照することによって色変換を行う色変換手段を備えた画像形成装置に好適に利用することができる。
【符号の説明】
【００４３】
１０  画像形成装置
５００  単色相化処理部
５０１  入力値単色相化手段
１０２  色変換処理部
１０２１  フルカラー色変換テーブル
１０２２  単色相化テーブル生成手段
１０２３  単色相化色変換テーブル
【図１】
2010233038.tif 000003
【図２】
2010233038.tif 000004
【図３】
2010233038.tif 000005
【図４】
2010233038.tif 000006
【図５】
2010233038.tif 000007
【図６】
2010233038.tif 000008
【図７】
2010233038.tif 000009
【図９】
2010233038.tif 000010
【図１０】
2010233038.tif 000011
【図１１】
2010233038.tif 000012
【図１２】
2010233038.tif 000013
【図１３】
2010233038.tif 000014
【図１４】
2010233038.tif 000015
【図８】
2010233038.tif 000016